(57)【特許請求の範囲】
【請求項１】
下方に開口部を有する円筒形状のキャップ本体と、リング形状の内側に複数のフラップを有するピルファープルーフバンドとが、初期開封時に切断される複数のつなぎを介して連結されたピルファープルーフバンド付きキャップを係合するための注出口であって、
該注出口は、前記ピルファープルーフバンドを収容する空間のバンドスペースを有し、
該バンドスペースに位置する前記注出口外周面の外径が前記バンドスペース上端から前記バンドスペース下端にかけて下方に向けて縮径するテーパー部と、前記注出口外周面が前記バンドスペース上端から前記バンドスペース下端にかけて垂直に形成されたストレート部とを有し、
前記バンドスペース上端における前記テーパー部の外周と前記ストレート部の外周は、同一円周上に形成され、
前記テーパー部と前記ストレート部が、前記注出口の周方向に交互に形成されることを特徴とする、注出口。
【請求項２】
前記テーパー部および前記ストレート部が、前記注出口の周方向の互いに対向する位置に形成されることを特徴とする、請求項１記載の注出口。
【請求項３】
前記テーパー部のテーパー角度が、鉛直方向に対して±６０°の範囲内であることを特徴とする、請求項１または２記載の注出口。
【発明の詳細な説明】
【技術分野】
【０００１】
本発明は、下方に開口部を有する円筒形状のキャップ本体と、リング形状の内側に複数のフラップを有するピルファープルーフバンドと、が初期開封時に切断される複数のつなぎを介して連結された、ピルファープルーフバンド付きキャップを係合するための注出口に関する。
【背景技術】
【０００２】
従来、ペットボトルの注出口や、ゼリー飲料、栄養ドリンク剤、その他種々の飲食品を充填包装したプラスチック性軟包装用袋容器などの注出口には、キャップ開栓の有無を容易に識別可能とするため、図１に示すような、キャップ本体２０と、キャップ本体の下端に、複数のつなぎを介して連結された、注出口本体から抜くことのできない構造のピルファープルーフバンド３０を備えたキャップ４０が装着されている（例えば特許文献１）。そして、このピルファープルーフバンド付きキャップ４０は、初期開封時において、キャップを開栓すると、前記複数のつなぎ２５が破断され、ピルファープルーフバンド３０が注出口１０の下方空間（バンドスペース）に残るため、開栓の有無を見分けることが可能である。
【０００３】
【特許文献１】特開２００４-３１５００８号公報
【発明の開示】
【発明が解決しようとする課題】
【０００４】
しかし、このようなピルファープルーフバンドを備えたキャップは、初期開封後、再度キャップを閉めても外観上は開封されたことがわかりにくいため、開封されたことを明瞭とするために、ピルファープルーフバンドを下に落とすためのクリアランス（バンドスペース）が高く形成されることが望ましい。
しかし、バンドスペースを高く形成することにより、分離後のピルファープルーフバンドが、図１４（ａ）に示すように、バンドスペース８８内を上下に動いてしまう、また、図１４（ｂ）に示すように、ピルファープルーフバンド９０が斜めに傾いた状態で固定されてしまい、消費者が注出口に口を当てて吸飲する際に、ピルファープルーフバンド９０が消費者の口に当接してスムースに吸飲することができないという問題があった。さらには、吸飲中にピルファープルーフバンド９０が脱落してしまうと、消費者が誤って飲み込んでしまうという恐れがある。
【０００５】
このため、ピルファープルーフバンドのフラップと、注出口のバンドスペースとの隙間を小さくして、ピルファープルーフバンドを外れにくくしたり、ピルファープルーフバンドがバンドスペース内を移動することを防ぐことが考えられるが、このように構成すると、初期開封時に、ピルファープルーフバンドがバンドスペーススペース下方へと落下しにくくなってしまうため、ピルファープルーフ性を失ってしまうという問題がある。
【０００６】
そこで、本発明は、ピルファープルーフ性を失うことなく、開封後のピルファープルーフバンドがバンドスペース下方に落下しやすく構成するとともに、一旦落下したピルファープルーフバンドが再び上方向へと移動してしまうことなく、安定してピルファープルーフバンドを保持可能なバンドスペースを有する注出口を提供することを目的とする。
【課題を解決するための手段】
【０００７】
上記課題を解決すべく、本発明の請求項１は、下方に開口部を有する円筒形状のキャップ本体と、リング形状の内側に複数のフラップを有するピルファープルーフバンドとが、初期開封時に切断される複数のつなぎを介して連結されたピルファープルーフバンド付きキャップを係合するための注出口であって、該注出口は、前記ピルファープルーフバンドを収容する空間のバンドスペースを有し、該バンドスペースに位置する前記注出口外周面の外径が前記バンドスペース上端から前記バンドスペース下端にかけて下方に向けて縮径するテーパー部と、前記注出口外周面が前記バンドスペース上端から前記バンドスペース下端にかけて垂直に形成されたストレート部とを有し、前記バンドスペース上端における前記テーパー部の外周と前記ストレート部の外周は、同一円周上に形成され、前記テーパー部と前記ストレート部が、前記注出口の周方向に交互に形成されることを特徴とする、注出口である。
【０００８】
また、本発明の請求項２は、前記テーパー部および前記ストレート部が、前記注出口の周方向の互いに対向する位置に形成されることを特徴とする、注出口である。
【００１１】
また、本発明の請求項３は、前記テーパー部のテーパー角度が、鉛直方向に対して±６０°の範囲内であることを特徴とする、注出口である。
【発明の効果】
【００１２】
本発明の注出口は、下方に開口部を有する円筒形状のキャップ本体と、リング形状の内側に複数のフラップを有するピルファープルーフバンドとが、初期開封時に切断される複数のつなぎを介して連結されたピルファープルーフバンド付きキャップを係合するための注出口であって、該注出口は、前記ピルファープルーフバンドを収容する空間のバンドスペースを有し、該バンドスペースに位置する前記注出口外周面の外径が前記バンドスペース上端から前記バンドスペース下端にかけて下方に向けて縮径するテーパー部と、前記注出口外周面が前記バンドスペース上端から前記バンドスペース下端にかけて垂直に形成されたストレート部とを有し、前記バンドスペース上端における前記テーパー部の外周と前記ストレート部の外周は、同一円周上に形成され、前記テーパー部と前記ストレート部が、前記注出口の周方向に交互に形成されることを特徴とするから、初期開封時に、ピルファープルーフバンドがフラップの反発により、テーパー部に沿って、バンドスペーススペース下方へとスムースに落下させることができ、かつ、一旦落下したピルファープルーフバンドが、再び上方向へと移動することを阻止して、良好なピルファープルーフ性を奏することが可能な注出口を提供することができる。
また、一旦落下したピルファープルーフバンドがストレート部に接することで、横方向への移動を抑えることができるため、ピルファープルーフバンドのがたつきや移動を防止することが可能である。
また、スムースにピルファープルーフバンドを落下させつつ、故意にピルファープルーフバンドを上方向へと移動させることが困難とすることが可能である。
【００１３】
また、前記テーパー部および前記ストレート部が、前記注出口の周方向の互いに対向する位置に形成されることを特徴とするから、初期開封時に、ピルファープルーフバンドがフラップの反発により、テーパー部に沿って、バンドスペーススペース下方へとスムースに落下させることができ、かつ、一旦落下したピルファープルーフバンドが、ストレート部に接することで、横方向への移動を抑えることができるため、ピルファープルーフバンドのがたつきや移動を防止することが可能である。
また、スムースにピルファープルーフバンドを落下させつつ、故意にピルファープルーフバンドを上方向へと移動させることが困難とすることが可能である。
【００１６】
また、前記テーパー部のテーパー角度が鉛直方向に対して±６０°の範囲内であることを特徴とするから、ピルファープルーフバンドのフラップの傾斜角度に合った、バンドスペースの形状とすることができ、より確実にピルファープルーフバンドの脱落や移動を防止することが可能である。
【発明を実施するための最良の形態】
【００１７】
本発明の基本形状となる参考の注出口１０は、図１（ａ）に示すように、初期開封前においては、ピルファープルーフバンド３０とキャップ本体２０とが一体で形成されたピルファープルーフバンド付きキャップ４０（キャップ４０）が、注出口１０に係合されている。
【００１８】
そして、初期開封時にキャップ本体２０を開封方向に回動することにより、キャップ本体２０とピルファープルーフバンドとを繋ぐ、複数のつなぎ２５を破断して、図１（ｂ）に示すように、キャップ本体２０とピルファープルーフバンド３０とが分離される。そして、ピルファープルーフバンド３０が下方へと落下することにより、初期開封が行われたことを示すピルファープルーフ性を示すものである。
【００１９】
まず、注出口１０に係合するキャップ４０は、図２に示すように、内部にネジ山２６が形成されたキャップ本体２０と、複数のつなぎ２５を介して連結される、ピルファープルーフバンド３０とが、一体に形成されている。
【００２０】
特に、ピルファープルーフバンド３０の内周には、斜め上方を向いた形状の、複数の羽根部材３５（フラップ３５）が形成されており、このフラップ３５の先端部分が、図示しない、注出口の凸リング６の底面に接することにより、初期開封時において、ピルファープルーフバンド３０の上方向への移動を阻止して、キャップ本体２０とピルファープルーフバンド３０とを連結しているつなぎ２５のみを破断する構成である。
【００２１】
また、前記ピルファープルーフバンド３０のフラップ３５の先端部分が、後述する、注出口１０のバンドスペース７に形成された、テーパー角度θを有するテーパー部７Ａに当接することにより、ピルファープルーフバンド３０のバンドスペース７内での移動を規制することが可能である。
【００２２】
次に、本発明の注出口１０のバンドスペース７と、ピルファープルーフバンド３０との関係について示す。
従来の注出口８０の、バンドスペース８８は、図６（ｂ）に示すように、テーパー角度が０度の直円筒の部材であり、図６（ａ）に示すように、側面視において直方体である。このため、注出口８０を傾けた際に、図７（ａ）（ｂ）に示すように、ピルファープルーフバンド９０が、バンドスペース８８内を上下に移動してしまうため、吸飲時に消費者の口元に、ピルファープルーフバンドが当接してしまい、吸飲しづらいという問題があった。
【００２３】
そこで、ピルファープルーフバンドの上下移動を抑えるために、バンドスペースの内径を太くすることが考えられるが、ピルファープルーフバンドとバンドスペースとの隙間を小さくしてしまうと、初期開封時に、分離したピルファープルーフバンドが下方向へと落下しないという問題がある。
【００２４】
本発明の基本形状となる参考の注出口１０は、図３に示すように、ピルファープルーフバンド３０を収容するバンドスペース７に、テーパー角度θを有する台形円筒もしくは逆台形円筒の部材からなるテーパー部７Ａを形成することにより、ピルファープルーフバンド３０をスムースにバンドスペース下方へと落下させつつ、一旦落下したピルファープルーフバンドが上方向へと移動しにくい構成として、良好なピルファープルーフ性を示すことができるとともに、ピルファープルーフバンド３０を安定して保持することが可能である。
【００２５】
本発明の基本形状となる参考の注出口１０は、詳しくは、キャップ本体２０を螺着するための雄ネジ４が形成された円筒部材からなるノズル部５と、該ノズル部５の下方に形成され、初期開封時にピルファープルーフバンドとキャップ本体とを繋ぐ複数のつなぎ２５を破断するためにピルファープルーフバンド３０の上方向への移動を阻止する部材である凸リング６が形成されている。そして、該凸リング６のさらに下方には、製造時において、機械の保持手により注出口１０を保持するため、略等間隔を隔てて配置された複数の平板状のフランジ８が形成されている。
【００２６】
そして、前記凸リング６と前記フランジ８との間には、初期開封後のピルファープルーフバンド３０を収容または保持するための空間７（バンドスペース７）が形成されている。特に、バンドスペース７は、テーパー角度θを有する、側面視で逆台形の、逆台形円筒からなるテーパー部７Ａを有しており、ピルファープルーフバンド３０を下方向へとスムースに落下させるとともに、一旦落下したピルファープルーフバンドの上方向への移動を抑えることが可能である。
【００２７】
すなわち、バンドスペース７のテーパー部分７Ａは、鉛直から角度θ傾斜した逆台形円筒であり、このため、上方向にかけて内径が増大している（台形円筒の場合は下方向にかけて内径が増大する）。よって、初期開封後、ピルファープルーフバンド３０がキャップ本体２０より分離されると、ピルファープルーフバンド３０のフラップ３５が開放されて自身の弾性力により開き始めるとともに、テーパー部７Ａにガイドされつつ下方向へと移動する。
【００２８】
一旦下方へと落下したピルファープルーフバンド３０は、ピルファープルーフバンド３０のフラップ３５が常に開く方向へと力が働いており、フラップ３５の先端部分がバンドスペース７Ａの側壁を押すため、上方向への移動を抑えることが可能である。また、テーパー部７が台形円筒の場合、ピルファープルーフバンド３０の下方向への移動を抑えることが可能である。
【００２９】
このような構成により、初期開封時のピルファープルーフバンド３０がバンドスペース７に収容、保持される構成の一例を以下に示す。
本発明の基本形状となる参考の注出口１０において、ピルファープルーフバンド付きキャップ４０を係合した初期開封前は、図４（ａ）に示すように、ピルファープルーフバンド３０のフラップ３５の先端部分が、注出口１０の凸リング６の底面に当接した状態で、注出口１０に係合している。
【００３０】
そして、初期開封時、図４（ｂ）に示すように、キャップ本体２０の開封回動による上方向への移動に伴い、複数のつなぎ２５が破断して、ピルファープルーフバンド３０とキャップ本体２０とが分離されると、ピルファープルーフバンド３０が、フラップ３５の反発とテーパー７Ａとの作用により、バンドスペース７の下方へと落下する。
一旦バンドスペース７の下方へと落下したピルファープルーフバンド３０は、フラップ３５が自身の弾性力により僅かに開いた形状に戻りつつ、バンドスペース７Ａの側壁に当接する。このとき、バンドスペース７Ａは、上方にかけてテーパー角度θをもって開いた形状の逆台形円筒であるため、ピルファープルーフバンド３０のフラップ３５先端と、バンドスペース７Ａのテーパーを有する側壁とが当接して、以後のピルファープルーフバンド３０の上方向への移動を抑えることが可能である。
【００３１】
よって、注出口１０を傾けても、ピルファープルーフバンド３０は、容易に上方向へと移動することがなく、また、ピルファープルーフバンド３０が、バンドスペース７内において、斜めに傾いてしまうようなことがないため、良好なピルファープルーフ性と吸飲性とを奏することが可能である。
【００３２】
このように、本発明の基本形状となる参考の注出口１０のバンドスペース７は、バンドスペース７の全体部分を、一つのテーパー部７Ａとして形成することにより、最も簡単な構成で、ピルファープルーフバンド３０の移動を規制することが可能である。
【００３３】
ここで、本発明に係る注出口１０のバンドスペース７は、テーパー角度を有するテーパー部７Ａと、テーパー角度を有さないストレート部７Ｓとの組み合わせである。
【００４８】
例えば、図５（ａ）に示すように、テーパー部７Ａとストレート部７Ｓとを、各々、前後左右に別けて形成し、組み合わせる。
【００４９】
この場合、ノズル部から凸リングにかけて省略した説明図として図５（ｂ）（ｃ）（ｄ）（ｅ）に示すように、注出口外周面の外径がバンドスペース７の上端からバンドスペース７の下端にかけて下方に向けて縮径するテーパー部７Ａと、注出口外周面がバンドスペースの上端からバンドスペースの下端にかけて垂直に形成されたストレート部７Ｓとを組み合わせる。ここで、バンドスペース７の上端におけるテーパー部７Ａの外周とストレート部７Ｓの外周は、同一円周上に形成され、テーパー部７Ａとストレート部７Ｓが、注出口の周方向に交互に形成されている。
よって、テーパー部７Ａにより、初期開封後にキャップ本体２０より分離されたピルファープルーフバンド３０をスムースにバンドスペース７下方へと落下させる効果があり、また、ストレート部７Ｓは、フラップ３５との隙間が小さいため、落下後のピルファープルーフバンド３０の横方向へのずれや、がたつきを抑える効果がある。
【００５０】
このように、テーパー部７Ａの一部にストレート部７Ｓを形成するが、特に、正面側にストレート部７Ｓを形成することが好ましい。これにより、ピルファープルーフバンド３０を故意に外そうとしても、正面側のストレート部７Ｓとフラップとの隙間が小さく外しにくい形状となっているため、いたずらや誤操作によるピルファープルーフバンド３０の脱落を防止することが可能である。
【００５２】
以上のように、本発明の注出口１０により、ピルファープルーフバンド３０の移動、傾き、脱落などを防止することができ、良好なピルファープルーフ性を奏することのできる注出口１０を提供することが可能である。
【００５４】
そして、本発明のテーパー部７Ａのテーパー角度θは、ピルファープルーフバンドプルーフバンド３０のフラップ３５の傾斜角度に合わせて、鉛直方向に対して±６０度の範囲であることが好ましく、限られたバンドスペース７を活用して、効率的にテーパー部７Ａを形成することが可能である。
【００５５】
また、本発明に係る注出口１０は、バンドスペース７を有する全ての注出口１０に適用することが可能であり、注出口１０の形状は限定されない。例えば、ペットボトルの口部のような、幅広の形状を有する注出口１０であってもよく、プラスチック性軟包装用袋容器に取付けられるような細長い形状の注出口１０であっても良い。
【図面の簡単な説明】
【００５６】
【図１】（ａ）初期開封前の本発明の基本形状となる参考の注出口とキャップとを示す図、（ｂ）初期開封後の本発明の基本形状となる参考の注出口と、キャップ本体と、ピルファープルーフバンドとを示す図。
【図２】キャップ本体と、ピルファープルーフバンドとを示す図。
【図３】本発明の基本形状となる参考の注出口の断面図（左）と、斜視図（右）を示す図。
【図４】（ａ）初期開封前の、本発明の基本形状となる参考の注出口とキャップとを示す、一部切断斜視図。（ｂ）初期開封後の、本発明の基本形状となる参考の注出口と、キャップ本体と、ピルファープルーフバンドとを示す、一部切断斜視図。
【図５】（ａ）（ｂ）（ｃ）（ｄ）（ｅ）本発明の注出口の一例を示す説明図。
【図６】従来の注出口を示す、注出口の断面図（左）と、全体斜視図（右）。
【図７】従来の注出口において、（ａ）ピルファープルーフバンドがバンドスペース内を移動、（ｂ）ピルファープルーフバンドがバンドスペース内で傾く、ことを示す、説明図。
【符号の説明】
【００５７】
４  雄ネジ
５  ノズル部
６  凸リング
７  バンドスペース
８  フランジ（フランジ部）
１０  注出口
２０  キャップ本体
２５  つなぎ
２６  ネジ山
３０  ピルファープルーフバンド
３５  フラップ（羽根部材）
４０  キャップ
θ  テーパー角度（角度）
７Ａ  テーパー部（側面視で、台形もしくは逆台形）
７Ｂ  テーパー部
７Ｃ  テーパー部
７Ｄ  テーパー部
７Ｓ  ストレート部（側面視で、直方体）
７Ｐ  段差部（非連続の境界面）
【図１】
0005272295.tif 000002
【図２】
0005272295.tif 000003
【図３】
0005272295.tif 000004
【図４】
0005272295.tif 000005
【図５】
0005272295.tif 000006
【図６】
0005272295.tif 000007
【図７】
0005272295.tif 000008